(57)【要約】      （修正有）【課題】被検者である身体障害者が車椅子で装置の所定の位置まで移動してそのまま被検者頭部の位置付け作業をおこない撮影することが可能な頭頸部用コーンビームＸ線ＣＴ撮影装置の提供を目的とする。【解決手段】頭頸部用コーンビームＸ線ＣＴ撮影装置に於いて、身障者用の車椅子が位置決め手段によって装置の所定の位置にそれぞれ位置決め可能に導出入でき必要に応じて使用可能なことを特徴としている。また、被検者を座位で撮影する種の装置の場合、健常者用の椅子と身障者用の車椅子が位置決め手段によって装置の所定の位置にそれぞれ位置決め可能とされ、必要に応じて択一的に使用できる。【選択図】図４
2006334188.tif 000002
【特許請求の範囲】
【請求項１】
被検者の頭頸部の周囲を、対向配置されたＸ線源と受像装置が少なくとも１８０゜以上回転して撮影対象部位の撮影を行い、得られた画像データーの画像処理を行い２次元画像あるいは、３次元画像の表示および、データーの保存、管理を行う所謂、頭頸部用コーンビームＸ線ＣＴ撮影装置に於いて、身障者用の車椅子が、位置決め手段によって装置の所定の位置に必要に応じて位置決め可能に導出入できることを特徴とする頭頸部用コーンビームＸ線ＣＴ撮影装置。
【請求項２】
被検者の頭頸部の周囲を、対向配置されたＸ線源と受像装置が少なくとも１８０゜以上回転して撮影対象部位の撮影を行い、得られた画像データーの画像処理を行い２次元画像あるいは、３次元画像の表示および、データーの保存、管理を行う所謂、頭頸部用コーンビームＸ線ＣＴ撮影装置に於いて、被検者を座位で撮影するために健常者用の椅子と身障者用の車椅子が、位置決め手段によって装置の所定の位置にそれぞれ位置決め可能に着脱、あるいは待避による導出入ができ、必要に応じて択一的に選択して使用できることを特徴とする頭頸部用コーンビームＸ線ＣＴ撮影装置。
【請求項３】
前記位置決め手段が、装置下方または、床部に設けられたガイド部および、位置決め部よりなることを特徴とする請求項１または、請求項２に記載の頭頸部用コーンビームＸ線ＣＴ撮影装置。
【請求項４】
前記位置決め手段が、装置下方または、床部に設けられたプラットホームと、ガイド部および、位置決め部よりなることを特徴とする請求項１または、請求項２に記載の頭頸部用コーンビームＸ線ＣＴ撮影装置。
【請求項５】
前記プラットホームが、被検者の位置付け時の高さ調整のために昇降可能なことを特徴とする請求項４に記載の頭頸部用コーンビームＸ線ＣＴ撮影装置。
【発明の詳細な説明】
【技術分野】
【０００１】
本発明は、歯科用に代表される歯顎顔面領域を含む頭頸部用コーンビームＸ線ＣＴ撮影装置に関する。
【０００２】
更に詳しくは、被検者の位置付け、特に身体障害者のための車椅子が使用可能な頭頸部用コーンビームＸ線ＣＴ撮影装置に関する。
【背景技術】
【０００３】
被検者の頭頸部の周囲を、対向配置されたＸ線源と受像装置が少なくとも１８０゜以上回転して撮影対象部位の撮影を行い、得られた画像データーの画像処理を行い２次元画像あるいは、３次元画像の表示および、データーの保存、管理を行う所謂、頭頸部用コーンビームＸ線ＣＴ撮影装置は、近年種々の装置が提案されている。
【０００４】
特開２０００−１３９９０２には、局所照射Ｘ線ＣＴ撮影方法及びその装置が提案されており、旋回アームの回転中心を撮影すべき局所部位中心位置に固定した状態でＸ線発生器から被写体の一部である撮影すべき局所部位だけを包含するＸ線コーンビームを局所照射しながら旋回アームを撮影条件に応じた角度範囲で旋回させ、撮影を行う装置で、被写体の位置付けには被写体保持手段が設けられ被写体の体位は立位あるいは、座位が提案されている。
【０００５】
また、特開２００２−２１９１２７には、パノラマＸ線ＣＴ撮影装置が提案されている。
この装置は、旋回アームの一端に被写体に対して限られた範囲のコーンビームを照射するＸ線源と、他端に被写体を透過したＸ線を検知するＸ線検出器を対向配置させ、その旋回アームが回動駆動ユニットおよび、回動制御手段によって回転する際にその回転中心位置を必要に応じて適量、連続的に移動させることによって、限られた照射範囲のコーンビームを用いて、限られた照射範囲のみの撮影だけでなく、限られた照射範囲のコーンビームに包含されない範囲、即ち全歯顎域等の連続した部分のパノラマＸ線ＣＴ撮影が可能な装置で、被写体の位置付けには、被写体用椅子が用いられ被写体の体位は、座位が提案されている。
【０００６】
更に、特開２００３−１７５０２７には、患者の下顎から眼窩迄の範囲をＸ線管とＸ線情報入力手段を１回転させた多数のＸ線情報により２次元データー及び３次元データーを作成しそれに基づく断層像を表示手段に表示させる。この時、支柱に回転機構部を取り付け、Ｘ線管とＸ線情報入力手段を対向させて取り付けたＵアームを吊り下げ、電動で上下する椅子を用いて被検体の任意の箇所について任意の大きさの画像を取り込み表示する装置が提案されており、この場合の被写体の位置付けには、被写体用椅子が用いられ被写体の体位は、座位が提案されている。
【０００７】
この様に従来の装置には、身体障害者用の車椅子が利用できる装置は皆無であった。従って、被検者が車椅子を利用した身体障害者の場合は、術者及び介護者が複数で被検者を車椅子から装置側の椅子に移し替え撮影を終えると元の車椅子に戻す作業がおこなわれ大きな負担となっていた。
【特許文献１】特開２０００−１３９９０２
【特許文献２】特開２００２−２１９１２７
【特許文献３】特開２００３−１７５０２７
【発明の開示】
【発明が解決しようとする課題】
【０００８】
本発明は、従来装置のこの様な現状に鑑みて開発されたもので被検者である身体障害者が車椅子で装置の所定の位置まで移動してそのまま被検者頭部の位置付け作業をおこない撮影することが可能な頭頸部用コーンビームＸ線ＣＴ撮影装置の提供を目的とする。
【課題を解決するための手段】
【０００９】
被検者の頭頸部の周囲を、対向配置されたＸ線源と受像装置が少なくとも１８０゜以上回転して撮影対象部位の撮影を行い、得られた画像データーの画像処理を行い２次元画像あるいは、３次元画像の表示および、データーの保存、管理を行う所謂、頭頸部用コーンビームＸ線ＣＴ撮影装置に於いて、身障者用の車椅子が、位置決め手段によって装置の所定の位置にそれぞれ位置決め可能に導出入でき、必要に応じて使用可能なことを特徴としている。
【００１０】
被検者の頭頸部の周囲を、対向配置されたＸ線源と受像装置が少なくとも１８０゜以上回転して撮影対象部位の撮影を行い、得られた画像データーの画像処理を行い２次元画像あるいは、３次元画像の表示および、データーの保存、管理を行う所謂、頭頸部用コーンビームＸ線ＣＴ撮影装置に於いて、被検者を座位で撮影するために健常者用の椅子と身障者用の車椅子が、位置決め手段によって装置の所定の位置にそれぞれ位置決め可能に着脱あるいは待避による導出入ができ、必要に応じて択一的に選択して使用できることを特徴としている。
【００１１】
前記位置決め手段が、装置下方または、床部に設けられたガイド部および、位置決め部よりなることを特徴とする請求項１または、請求項２に記載の頭頸部用コーンビームＸ線ＣＴ撮影装置であることを特徴としている。
【００１２】
前記位置決め手段が、装置下方または、床部に設けられたプラットホームと、ガイド部および、位置決め部よりなることを特徴とする請求項１または、請求項２に記載の頭頸部用コーンビームＸ線ＣＴ撮影装置であることを特徴としている。
【００１３】
前記プラットホームが、被検者の位置付け時の高さ調整のために昇降可能なことを特徴とする請求項４に記載の頭頸部用コーンビームＸ線ＣＴ撮影装置であることを特徴としている。
【発明の効果】
【００１４】
従来、身体障害者用の車椅子が利用できる装置は皆無であったため、被検者が車椅子を利用した身体障害者の場合は、術者及び介護者が複数で被検者を車椅子から装置側の椅子に移し替え撮影を終えると元の車椅子に戻す作業がおこなわれ大きな負担となっていたに対して、本発明の装置により車椅子利用の被検者も健常者と大差なく撮影することが可能となり被検者及び術者に対する負担が大幅に軽減できた。
【発明を実施するための最良の形態】
【００１５】
以下、本発明の実施例について図面に基づいて説明する。
【実施例】
【００１６】
図１から図７は本発明に係わり、図１は座位／立位兼用型頭頸部用コーンビームＸ線ＣＴ撮影装置の正面図および側面図、図２は図１の装置に障害者用車椅子を導入した場合の正面図および側面図、図３は座位型頭頸部用コーンビームＸ線ＣＴ撮影装置の平面図、正面図および側面図、図４は図３の装置に障害者用の車椅子を導入した場合の平面図、正面図および側面図、図５は位置決め手段の実施例の平面図、正面図および側面図、図６は位置決め手段の別の実施例を示す平面図、正面図および側面図、図７は位置決め手段のまた別の実施例を示す平面図、正面図および側面図である。
【００１７】
図１（ａ）（ｂ）は、本発明に係わる頭頸部用コーンビームＸ線ＣＴ撮影装置の１実施例で、立位の被検者を撮影する場合を示す外観正面図および外観側面図で、ベース１に立設する支柱２に上下摺動可能に設けられた上下動ユニット３と、この上下動ユニット３は、その下方に被験者頭部を位置付けするための頭部位置付け機構部８を、また、上方より前方に張り出すように設けられた回転駆動ユニット４とこの回転駆動ユニット４より垂下する旋回アーム５は、水平面に対してＸ／Ｙ方向に移動可能で且つ旋回可能に設けられ、被検者Ｃを挟みその一端にコーンビームＸ線を照射するためのＸ線源６と対向する一端に被写体を透過した被検者Ｃの画像データーを受像するための受像装置７が設けられている。また、上下動ユニット３の下方からは、被検者の頭部を位置決め固定するための頭部位置決め機構８が設けられ、床面には、後で詳述する位置決め手段９が設置されている。
【００１８】
図２（ａ）（ｂ）は、図１（ａ）（ｂ）の装置で車椅子１０の被検者を撮影する場合を示す外観正面図および外観側面図で、装置の構成は図１（ａ）（ｂ）と何ら変わらないため記号番号も同じに統一している。図に於いて、車椅子１０は、後で詳述する位置決め手段９のガイド部により装置前方よりガイドされて進入し所定の位置で停止できる用に構成される。
【００１９】
図３（ａ）（ｂ）（ｃ）は、本発明に係わる頭頸部用コーンビームＸ線ＣＴ撮影装置の別の実施例で、座位の被検者を撮影する場合を示す外観平面図と外観正面図および外観側面図で、左右のベース１’および１”に立設する支柱２’および２”の上方に設けられた回転駆動ユニット４’とこの回転駆動ユニット４’より垂下する旋回アーム５は、前記回転駆動ユニット内に設けられた図示しないＸ／Ｙ制御機構およびアーム回転制御機構により、水平面に対して矢印で示すようにＸ／Ｙ方向に移動可能で且つ旋回可能に設けられ、該旋回アーム５は、被検者Ｃを挟みその一端にコーンビームＸ線を照射するためのＸ線源６と対向する一端に被写体を透過した被検者Ｃの画像データーを受像するための受像装置７が設けられている。この受像装置７は通常、Ｉ．Ｉ＋ＣＣＤカメラの組み合わせ、あるいは、Ｆ．Ｐ．Ｄ（フラットパネルディテクター）が用いられる。床面には、ステップ９１と昇降機能付きの位置決め手段９０が設けられており常時は、健常者用の椅子１５が着脱可能に位置決めされ設置されている。また、位置決め手段９０には、被検者の頭部を位置決め固定するための矢印で示す昇降と、被検者の装置への出入りをスムースに行うための矢印で示すスイング開閉可能な頭部位置決め機構８’で構成されている。尚、頭部位置決め機構８’の詳細は、従来公知の方法であるため省略する。
【００２０】
図４（ａ）（ｂ）（ｃ）は、図３（ａ）（ｂ）（ｃ）の装置で健常者用の椅子１５を取り除き、身障者用の車椅子１０を導入位置づけした場合の図で、図において、予め頭部位置決め機構８’は、前記スイング開閉機構によって被検者の導入に支障が無いように頭部位置決め機構８”の位置に除去される。次に車椅子１０は、装置前方より床面からの段差を補うために設けられたステップ９１を介して位置決め手段９０に導入され、そのガイド部にガイドされて進入し所定の位置で位置決めブロック９３，９３’により停止後、ロックする。次に被検者の頭部を位置決め固定するために被検者の顎の高さに合わせて頭部位置決め機構８’のチンレストの高さを頭部位置決め機構８’の昇降機構によって上下方向の概略調整を行った後、従来公知の頭部位置決め機構８’の各部の操作に加えて、３点固定＋ベルトにより頭部位置決め機構８’に固定される。その後、装置本体から照射されるレーザーによるインジケータービームに対して撮影対象部位の高さを前記位置決め手段９０の昇降機構および、前記回転駆動ユニット４’のＸ／Ｙ制御機構によって位置の調整が行われ撮影準備が完了する。
所定の撮影が完了した後、前記位置決め手段９０の昇降機構で原点高さ位置まで下降させ、ベルトにより頭部位置決め機構８’に固定された被検者を解放し、頭部位置決め機構８’をそのスイング開閉機構によって被検者の退出に支障が無いように頭部位置決め機構８”の位置に除去される。その後、車椅子１０のロックが解除された後、装置外に導くことができるため術者が一人で十分対応できる。
【００２１】
図５（ａ）（ｂ）（ｃ）は、本発明に係わる頭頸部用コーンビームＸ線ＣＴ撮影装置の主要部分の位置決め手段９の平面図、正面図および側面図で、図に於いて、位置決め手段９は、床面にあるいは、床面に必要に応じて設けられたベース９ａに装置中心（正中線方向）に左右対称的に設けられたガイド部９２，９２’は、その幅方向が矢印で示すように調整可能に設置されている。これは個々の診療所または、病院に用意されている車椅子の車幅に対応できるように調整可能とされている。このガイド部９２，９２’には、その前方に位置決めブロック９３，９３’がその前後方向が矢印で示すように調整可能に設置され個々の診療所または、病院の車椅子１０の前後方向の位置が適正な位置に固定できるように設けられている。これらの調整の方法は従来公知の方法で容易に行うことができる。例えば、図示したように長穴とねじ、複数のネジ穴の利用の他、リンク機構とねじ、ガイド機構とねじ等である。尚、位置決め手段の設置位置は必ずしも床面に設置する必要はなく例えば装置のベース上とか比較的床面に近い場所で有れば差し支えない。
【００２２】
図６（ａ）（ｂ）（ｃ）は、同じく本発明に係わる頭頸部用コーンビームＸ線ＣＴ撮影装置の主要部分の位置決め手段９０の平面図、正面図および側面図で、位置決め手段９０は昇降機能を有し、且つ健常者用の椅子１５が所定の位置に着脱可能に設けられ、必要に応じてその健常者用の椅子１５を車椅子１０のエリアから取り除き、身障者用の車椅子１０が所定の位置に位置決めされることを特徴としている。図に於いて、床面から突出した位置決め手段９０は、その内部に例えばリング機構にネジ棒およびモーター等による昇降機構が内蔵されており、その最低高さはステップ９１の上面と同じ高さで上下方向のストロークはおよそ３５０ｍｍ程度である。位置決め手段９０の上面９０ａには前記同様装置中心（正中線方向）に左右対称的に設けられたガイド部９２，９２’は、その幅方向が矢印で示すように調整可能に設置されている。これは個々の診療所または、病院に用意されている車椅子の車幅に対応できるように調整可能とされている。このガイド部９２，９２’には、その前方に位置決めブロック９３，９３’がその前後方向が矢印で示すように調整可能に設置され個々の診療所または、病院の車椅子１０の前後方向の位置が適正な位置に固定できるように設けられている。また健常者用の椅子１５を所定の位置に位置付けするために位置決めブロック９３，９３’の前部および位置決めピン９４が設けられており、健常者用の椅子１５の下部１５’が所定の位置に位置付けされる。尚、健常者用の椅子１５の下部１５’と前記位置決めブロック９３，９３’の前部との嵌合部には、前記位置決めブロック９３，９３’の前後する位置によって生じる前記健常者用の椅子１５の下部１５’との距離を調整するための例えば距離アジャストボルトのような距離調整手段が設けられる場合もある。また位置決め手段９０の上面９０ａの側方には、被検者の頭部を位置決め固定するための従来公知の頭部位置決め機構８’が設けられており、この頭部位置決め機構８’は電動アクチュエータによって矢印方向に昇降可能で且つ、被検者の装置への出入りをスムースに行うために必要に応じて矢印で示す様にスイング開閉が可能に構成されている。従って被検者の導入、導出に際しては、車椅子の場合ステップ代分だけ乗り上げ、乗り下げの必要が生じるが、現地での据え付け工事は容易であるため既存の施設等への据え付けに特に有利である。
【００２３】
図７（ａ）（ｂ）（ｃ）は、同じく本発明に係わる頭頸部用コーンビームＸ線ＣＴ撮影装置の主要部分の位置決め手段９０の平面図、正面図および側面図で、図６との相違点は、位置決め手段９０の上面９０ａが床面と面一になるように床下部に前記昇降機構部分が内蔵される構造となっている。その他は図６と同様で、このガイド部９２，９２’には、その前方に位置決めブロック９３，９３’がその前後方向が矢印で示すように調整可能に設置され個々の診療所または、病院の車椅子１０の前後方向の位置が適正な位置に固定できるように設けられている。また健常者用の椅子１５を所定の位置に位置付けするために位置決めブロック９３，９３’の前部および位置決めピン９４が設けられており、健常者用の椅子１５の下部１５’が所定の位置に位置付けされる。尚、健常者用の椅子１５の下部１５’と前記位置決めブロック９３，９３’の前部との嵌合部には、前記位置決めブロック９３，９３’の前後する位置によって生じる前記健常者用の椅子１５の下部１５’との距離を調整するための例えば距離アジャストボルトのような距離調整手段が設けられる場合もある。また位置決め手段９０の上面９０ａの側方には、被検者の頭部を位置決め固定するための従来公知の頭部位置決め機構８’が設けられており、この頭部位置決め機構８’は電動アクチュエータによって矢印方向に昇降可能で且つ、被検者の装置への出入りをスムースに行うために必要に応じて矢印で示す様にスイング開閉が可能に構成されている。従って段差が生じないため、被検者の導出入、被検者の位置付け等も更に容易に行える。また、健常者用の椅子１５は、必ずしも取り外してしまう必要はなく、前記した頭部位置決め機構８’のように車椅子１０の導入エリア外にスイング開閉機構を付加した位置決め手段を用いて必要に応じて待避させることもできる。
【図面の簡単な説明】
【００２４】
【図１】座位／立位兼用型頭部用コンビームＸ線ＣＴ撮影装置の正面図および側面図
【図２】図１の装置に障害者用車椅子を導入した場合の正面図および側面図
【図３】座位型頭部用コンビームＸ線ＣＴ撮影装置の平面図、正面図および側面図
【図４】図３の装置に障害者用の車椅子を導入した場合の平面図、正面図および側面            図
【図５】位置決め手段の実施例の平面図、正面図および側面図
【図６】位置決め手段の別の実施例の平面図、正面図および側面図
【図７】位置決め手段のまた別の実施例の平面図、正面図および側面図
【符号の説明】
【００２５】
１  ベース
２  支柱
３  上下動ユニット
４  回転駆動ユニット
４’回転駆動ユニット
５  旋回アーム
６  Ｘ線源
７  受像装置
８  頭部位置決め機構
８’頭部位置決め機構
９  位置決め手段
１０  車椅子
１５  健常者用椅子
９０  位置決め手段
９２  ガイド部
９２’ガイド部
９３  位置決めブロック
９３’位置決めブロック
９４  位置決めピン
【図１】
2006334188.tif 000003
【図２】
2006334188.tif 000004
【図３】
2006334188.tif 000005
【図４】
2006334188.tif 000006
【図５】
2006334188.tif 000007
【図６】
2006334188.tif 000008
【図７】
2006334188.tif 000009